【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  タングステン及び／又はモリブデンと、鉄、コバルト、ニッケル及び銅の中から選択される少なくとも１種の遷移金属と、場合によっては少なくとも１種の添加剤とから本質的に成り、鉄の含有量が金属の全重量に対して50重量％未満であり且つ添加剤全体の含有量が金属の全重量に対して３重量％未満であるプレアロイ金属粉末であって、走査電子顕微鏡で測定される基本粒子の大きさが200 nmよりも大きく且つ５μm以下であり、
ａ）タングステン及び／又はモリブデン35〜95％と、銅５〜65％と、少なくとも１種の添加剤０〜３％とから本質的に成る粉末、
ｂ）タングステン80〜99.5重量％と、ニッケル0.5〜15％重量と、鉄０〜10重量％と、銅０〜10重量％と、少なくとも１種の添加剤０〜３重量％とから本質的に成る粉末〔但し、該粉末がタングステン、ニッケル及び鉄から本質的に成る場合には、添加剤（１種又は複数）の量は０ではないものとする〕、
ｃ）タングステン及び／又はモリブデン５〜60重量％と、ニッケル及び／又は銅20〜60重量％、鉄50重量％未満と、コバルト30重量％以下と、少なくとも１種の添加剤０〜３重量％とから本質的に成る粉末、
ｄ）タングステン及び／又はモリブデン20〜60重量％と、コバルト10〜40重量％と、銅10〜50重量％とから本質的に成り、場合によっては添加剤として鉄を含有する粉末、
ｅ）銅15〜40％ と、ニッケル50〜80％ と、モリブデン５〜20％とから本質的に成る粉末、
ｆ）タングステン及び／又はモリブデン５〜40重量％と、ニッケル60〜95重量％と、添加剤０〜３％とから本質的に成る粉末、
ｇ）タングステン及び／又はモリブデン１〜10重量％と、コバルト20〜80重量％と、添加剤０〜３％とから本質的に成る粉末
の中から選択されるものであるプレアロイ金属粉末。
【請求項２】  タングステン及び／又はモリブデン35〜95％と、銅５〜65％と、少なくとも１種の添加剤０〜３％とから本質的に成る請求項１記載の粉末。
【請求項３】  添加剤が鉄及びコバルトの中から選択されるものである請求項２記載の粉末。
【請求項４】  添加剤を存在させる場合には、それぞれの添加剤が前記粉末の金属の全重量の１％未満である請求項３記載の粉末。
【請求項５】  タングステン50〜95％と銅５〜50％とを含有する請求項２記載の粉末。
【請求項６】  銅を10〜25％含有する請求項５記載の粉末。
【請求項７】  モリブデン35〜95％と銅５〜65％とから本質的に成る請求項２記載の粉末。
【請求項８】  銅を10〜50重量％含有する請求項７記載の粉末。
【請求項９】  タングステン80〜99.5重量％と、ニッケル0.5〜15％重量と、鉄０〜10重量％と、銅０〜10重量％と、少なくとも１種の添加剤０〜３重量％とから本質的に成る請求項１記載の粉末〔但し、該粉末がタングステン、ニッケル及び鉄から本質的に成る場合には、添加剤（１種又は複数）の量は０ではないものとする〕。
【請求項１０】  前記添加剤がコバルトである請求項９記載の粉末。
【請求項１１】  タングステンを90〜95重量％含有する請求項９又は10に記載の粉末。
【請求項１２】  タングステンと、ニッケルと、鉄と、少なくとも１種の添加剤とから本質的に成る請求項９〜11のいずれか１項に記載の粉末。
【請求項１３】  タングステンと、ニッケルと、銅とから本質的に成り且つ鉄０〜１重量％とコバルト０〜１重量％を含有する請求項９〜11のいずれか１項に記載の粉
【請求項１４】  タングステン及び／又はモリブデン５〜60重量％と、ニッケル及び／又は銅20〜60重量％と、鉄50重量％未満と、コバルト30重量％以下と、少なくとも１種の添加剤０〜３％とから本質的に成る請求項１記載の粉末。
【請求項１５】  ニッケルを20〜60重量％含有する請求項14記載の粉末。
【請求項１６】  少なくとも20％の量の鉄を含有する請求項14記載の粉末。
【請求項１７】  添加剤として銅を含有する請求項15記載の粉末。
【請求項１８】  タングステン及び／又はモリブデン20〜60重量％と、コバルト10〜40重量％と、銅10〜50重量％とから本質的に成り、場合によっては添加剤として鉄を含有する請求項１に記載の粉末。
【請求項１９】  銅15〜40％と、ニッケル50〜80％と、モリブデン５〜20％とから本質的に成る請求項１に記載の粉末。
【請求項２０】  タングステン５〜30重量％と、ニッケル60〜95重量％と、添加剤０〜３重量％とから本質的に成る請求項１記載の粉末。
【請求項２１】  コバルト、鉄及び銅の中から選択される添加剤を少なくとも１種含有する請求項20に記載の粉末。
【請求項２２】  タングステン及び／又はモリブデン１〜10重量％と、コバルト20〜80重量％と、ニッケル20〜80重量％と、添加剤０〜３重量％とから本質的に成る請求項１記載の粉末。
【請求項２３】  モリブデンと、コバルトと、ニッケルと、場合によっては少なくとも１種の添加剤とから本質的に成る請求項22に記載の粉末。
【請求項２４】  焼結品の製造における請求項１〜23のいずれか１項に記載の粉末の使用。
【請求項２５】  請求項１〜23のいずれか１項に記載の粉末を用いて得られる焼結品。
【手続補正２】
【補正対象書類名】明細書
【補正対象項目名】００１２
【補正方法】変更
【補正の内容】
【００１２】
従って、本発明は、タングステン及び／又はモリブデンと、鉄、コバルト、ニッケル及び銅の中から選択される少なくとも１種の遷移金属と、場合によっては少なくとも１種の添加剤とから本質的に成り、鉄の含有量が金属の全重量に対して50重量％未満であり且つ添加剤全体の含有量が金属の全重量に対して３重量％未満であるプレアロイ金属粉末であって、走査電子顕微鏡で測定される基本粒子の大きさが200 nmよりも大きく且つ５μm以下であり、
ａ）タングステン及び／又はモリブデン35〜95％と、銅５〜65％と、少なくとも１種の添加剤０〜３％とから本質的に成る粉末、
ｂ）タングステン80〜99.5重量％と、ニッケル0.5〜15％重量と、鉄０〜10重量％と、銅０〜10重量％と、少なくとも１種の添加剤０〜３重量％とから本質的に成る粉末〔但し、該粉末がタングステン、ニッケル及び鉄から本質的に成る場合には、添加剤（１種又は複数）の量は０ではないものとする〕、
ｃ）タングステン及び／又はモリブデン５〜60重量％と、ニッケル及び／又は銅20〜60重量％、鉄50重量％未満と、コバルト30重量％以下と、少なくとも１種の添加剤０〜３重量％とから本質的に成る粉末、
ｄ）タングステン及び／又はモリブデン20〜60重量％と、コバルト10〜40重量％と、銅10〜50重量％とから本質的に成り、場合によっては添加剤として鉄を含有する粉末、
ｅ）銅15〜40％ と、ニッケル50〜80％ と、モリブデン５〜20％とから本質的に成る粉末、
ｆ）タングステン及び／又はモリブデン５〜40重量％と、ニッケル60〜95重量％と、添加剤０〜３％とから本質的に成る粉末、
ｇ）タングステン及び／又はモリブデン１〜10重量％と、コバルト20〜80重量％と、添加剤０〜３％とから本質的に成る粉末
の中から選択されるものであるプレアロイ金属粉末を目的とするものであり、またこの粉末を用いて得られる焼結品を目的とする。